(57)【要約】【課題】一つの記録媒体に複数のモードで記録された情報信号が混在することを防止する。【解決手段】本発明によれば、テープ上に既に記録されている画像信号の記録モードを検出し、装置の記録モードを検出した記録モードに自動的に設定する構成とした。【選択図】      図６
2004236109.tif 000002
【特許請求の範囲】
【請求項１】
互いに異なる複数の記録モードのうち、設定された記録モードにて記録媒体に対して情報信号を記録する記録手段と、
前記記録媒体に記録されている情報信号の記録モードを検出するモード検出手段と、
前記複数の記録モードのうち、前記モード検出手段により検出された記録モードにて記録動作を実行するよう前記記録手段を制御する制御手段とを備える記録装置。
【請求項２】
前記モード検出手段は前記記録媒体が装着されたことに応じて前記装着された記録媒体に記録されている情報信号の記録モードを検出することを特徴とする請求項１記載の記録装置。
【請求項３】
前記複数の記録モードのうち任意の記録モードを設定するモード設定手段を備え、前記制御手段はモード切り替え不可の指示に従い前記モード検出手段により検出された記録モードにかかわらず前記モード設定手段により設定された記録モードにて記録動作を実行するよう前記記録手段を制御することを特徴とする請求項１記載の記録装置。
【請求項４】
互いに異なる複数の記録モードのうち、設定された記録モードにて記録媒体に対して情報信号を記録する記録手段と、
前記記録媒体に記録されている情報信号の記録モードを検出するモード検出手段と、
前記複数の記録モードのうち、任意の記録モードを設定するモード設定手段と、
前記モード検出手段により検出された記録モードと前記モード設定手段により設定された記録モードとを比較し、前記比較結果に係る情報を表示装置に表示する制御手段とを備える記録装置。
【請求項５】
互いに異なる複数の記録モードを有し、装着された記録デバイスに対して情報信号を記録する装置であって、
前記複数の記録モードのうち設定された記録モードにて前記記録デバイスに対して前記情報信号を記録する記録手段と、
前記記録デバイスに記録されている情報信号の記録モードを検出するモード検出手段と、
前記複数の記録モードのうち、任意の記録モードを設定するモード設定手段と、
前記記録デバイスが装着されたことに応じて前記モード検出手段により検出された記録モードと前記モード設定手段により設定された記録モードとを比較し、前記比較結果に係る情報を表示装置に表示する制御手段とを備える記録装置。
【請求項６】
前記記録手段は入力された前記情報信号を符号化する符号化手段を有し、前記複数の記録モードにおいて前記符号化手段は異なる符号化方式にて前記情報信号を符号化することを特徴とする請求項１から５記載の記録装置。
【請求項７】
前記情報信号は画像信号を含み、前記符号化方式はフレーム内符号化のみを行う第１の符号化方式とフレーム間符号化を行う第２の符号化方式とを含むことを特徴とする請求項６記載の記録装置。
【請求項８】
前記情報信号は画像信号を含み、前記符号化方式はＨＤデジタルＶＣＲ評議会が規定したＳＤフォーマットに従う符号化方式とＭＰＥＧ２規格に従う符号化方式とを含むことを特徴とする請求項６記載の記録装置。
【請求項９】
前記記録媒体から前記情報信号を再生する再生手段を備え、前記モード検出手段は前記記録媒体から再生された情報信号中の付加情報に基づいて前記記録モードを検出することを特徴とする請求項１から５記載の記録装置。
【請求項１０】
前記記録媒体はテープ状記録媒体を含み、前記モード検出手段は前記テープ状記録媒体における記録開始位置の位置から再生された前記情報信号の記録モードを検出することを特徴とする請求項９記載の記録装置。
【請求項１１】
前記制御手段は前記記録媒体が装着されたことに応じて前記テープ状記録媒体を所定量巻き戻すと共に前記巻き戻した位置より再生を開始して前記記録モードを検出するよう前記再生手段と前記モード検出手段とを制御することを特徴とする請求項１０記載の記録装置。
【発明の詳細な説明】
【０００１】
【発明の属する技術分野】
本発明は複数の記録モードを有する記録装置に関する。
【０００２】
【従来の技術】
従来、ビデオカメラで撮影した画像をビデオカセットに記録するカムコーダが知られている。
【０００３】
この様なカムコーダのうち、現在、民生用のものとしては、ＨＤデジタルＶＣＲ評議会にて規定されたフォーマットであるＤＶフォーマット対応のカムコーダが主流であり、更にＤＶフォーマットのうち、ＮＴＳＣ方式やＰＡＬ方式などのビデオ信号に対応したＳＤ（Ｓｔａｎｄａｒｄ  Ｄｅｆｉｎｉｔｉｏｎ）フォーマット（モード）対応のカムコーダが製品化されている。
【０００４】
ＤＶフォーマットでは、ＳＤフォーマットのほか、ＨＤ（Ｈｉｇｈ  Ｄｅｆｉｎｉｔｉｏｎ）方式のビデオ信号に対応したＨＤフォーマット（モード）も規定されているが、これまでの家庭用カムコーダではＨＤフォーマットに対応したものは製品化されていない。
【０００５】
しかし、ＢＳデジタルテレビ放送などでＨＤ方式の画像信号の放送が始まり、また、ＨＤ方式対応のテレビ受信機なども普及し始めており、カムコーダにおいても従来のＳＤフォーマットに加え、ＨＤフォーマットに対応した装置が要望される環境が整いつつある。
【０００６】
また、ＨＤ方式の画像信号を記録するフォーマットとしては、前述のＤＶ規格にて規定されたＨＤフォーマットだけでなく、例えば、下記の公知文献１に記載の技術なども考えられている。
【０００７】
【特許文献１】
特開２００２−２１６４３３号
【０００８】
【発明が解決しようとする課題】
前述のように、同じビデオカセットに対し、ＳＤフォーマットとＨＤフォーマットとで画像信号を記録可能なカムコーダが製品化された場合、同一のビデオカセットにＳＤフォーマットとＨＤフォーマットの両方の画像信号が記録されてしまう。
【０００９】
しかし、現在製品化されているカムコーダはＳＤフォーマットのみに対応しているため、このような従来のカムコーダにおいてはＨＤフォーマットで記録された画像信号を扱うことができない。
【００１０】
そのため、ＳＤフォーマットの画像信号とＨＤフォーマットの画像信号が一つのカセットに混在して記録された場合、ＨＤフォーマットで記録された画像信号は再生されないため、何も記録されていないものと思い、誤って消去してしまうなど、種々の問題が発生してしまうことが考えられる。
【００１１】
本発明はこの様な問題を解決することを目的とする。
【００１２】
本発明の他の目的は、複数の記録モードのうち、一つの記録媒体上に記録する信号のモードを容易に統一することで一つの記録媒体に複数のモードの画像信号が混在することを防止する処にある。
【００１３】
【課題を解決するための手段】
前記課題を解決し、目的を達成するため、本発明においては、互いに異なる複数の記録モードのうち、設定された記録モードにて記録媒体に対して情報信号を記録する記録手段と、前記記録媒体に記録されている情報信号の記録モードを検出するモード検出手段と、前記複数の記録モードのうち、前記モード検出手段により検出された記録モードにて記録動作を実行するよう前記記録手段を制御する制御手段とを備える構成とした。
【００１４】
【発明の実施の形態】
［第１の実施形態］
以下、本発明の実施形態について説明する。
【００１５】
図１は本発明が適用されるカムコーダ１００の構成を示す図である。本形態のカムコーダ１００は、ＨＤ方式の画像信号を撮影して記録するモード（以下ＨＤモード）と、従来のＳＤ方式の画像信号を撮影して記録するモード（以下ＳＤモード）の二つのモードのうちの一方を選択して動画像をテープ上に記録する。なお、以下の説明では音声信号の処理について説明は省略したが、音声信号も当然ＨＤモード、ＳＤモードにそれぞれ対応した処理を施して記録再生する。
【００１６】
図１において、まず、基本的な記録再生時の処理について説明する。撮像部１０１は周知のＣＣＤを有し、制御部１０６の指示に従いユーザにより設定された記録モードに応じてＳＤフォーマットの動画像信号とＨＤフォーマットの動画像信号のうちの一方を信号処理部１０２と表示制御部１０４に出力する。
【００１７】
信号処理部１０２は設定された記録モードに応じて画像信号を圧縮、伸長する回路である。圧縮処理部１０２ａは、制御部１０６の指示に従い、撮像部１０１から出力された動画像信号を指定された記録モードに応じて符号化して情報量を圧縮し、記録処理部１０２ｂに出力する。
【００１８】
即ち、本形態では、ＳＤモードにおいては、前述のＤＶ規格におけるＳＤフォーマットに従い、撮像部１０１からの動画像信号に対してＤＣＴ、量子化、可変長符号化などの処理を施して記録処理部１０２ｂに出力する。ＳＤフォーマットでは、ＪＰＥＧ規格と同様にフレーム内の画像信号のみを用いて符号化を行う。
また、ＨＤモードにおいては、撮像部１０１からの動画像信号に対してＭＰＥＧ２方式に応じた符号化処理を施してＭＰＥＧ２トランスポートストリーム形式のデータを記録処理部１０２ｂに出力する。ＭＰＥＧ２は、異なるフレーム間の差分を符号化する方式であり、ＳＤフォーマットよりも圧縮率を高くすることができるので、ＨＤ方式の画像信号の様に情報量が多い場合でもＳＤフォーマットとほぼ同じデータレートの信号を得ることができる。
【００１９】
記録処理部１０２ｂは圧縮処理部１０２ａから出力された動画像信号に対し、同期、ＩＤデータや記録モードを示す情報を含む付加情報などを付加して指定された記録モードに適した形態に変換し、記録再生部１０３に出力する。記録再生部１０３は回転ヘッドによりテープＴ上に多数のヘリカルトラックを形成し、記録処理部１０２ｂからの信号を記録する。
【００２０】
制御部１０６は操作スイッチ部１０７により設定された記録モードや記録、再生の指示に応じて信号処理部１０２、記録再生部１０３及びテープ搬送部１０９を制御する。
【００２１】
再生時においては、記録再生部１０３はテープＴより画像信号を再生し、再生処理部１０２ｄに出力する。再生処理部１０２ｄは再生された信号から記録モードの情報を検出して制御部１０６に出力し、また、再生された画像信号に対してエラー訂正などの処理を施して伸長処理部１０２ｃに出力する。制御部１０６は再生された画像信号の記録モードを検出し、検出した記録モードに応じて画像信号を復号するよう伸長処理部１０２ｃに制御信号を出力する。伸長処理部１０２ｃは制御部１０６より指定された記録モードに応じて再生された画像信号を復号して情報量を伸長し、出力部１１０と表示制御部１０４に出力する。
【００２２】
出力部１１０は伸長処理部１０２ｃから出力された画像信号を外部モニタなどに出力するのに適した形態に変換して出力する。
【００２３】
表示制御部１０４は、制御部１０６からの指示に従い、記録モードにおいては撮像部１０１からの画像信号を表示パネル１０５に出力し、再生モードにおいては伸長処理部１０２ｃからの画像信号を表示パネル１０５に出力して表示する。
【００２４】
また、制御部１０６は、操作スイッチ群１０７による操作に従って表示制御部１０４を制御し、所定のメニュー設定画面などを表示パネル１０５に表示する。
【００２５】
図２はテープ上に記録されるトラックを示す図である。
【００２６】
図２の矢印方向に搬送される磁気テープＴ上を磁気ヘッドが斜めに走査することによりヘリカルトラック２０１が記録される。図２では区間２０２は既に記録済みであり、区間２０３は無記録である。
【００２７】
図３はトラック２０１のデータ構成を説明する図である。
【００２８】
トラックの先頭にＩＴＩ（Ｉｎｓｅｒｔ  ａｎｄ  Ｔｒａｃｋ  Ｉｎｆｏｒｍａｔｉｏｎ）エリアがあり、基本システムデータが格納されている。この中にＴＩＡ（Ｔｒａｃｋ  Ｉｎｆｏｒｍａｔｉｏｎ  Ａｒｅａ）があり、さらにその中にＡＰＴ（Ａｐｐｌｉｃａｔｉｏｎ  ＩＤ  ｏｆ  ａ  Ｔｒａｃｋ）という３ビットのデータがある。ＡＰＴとはトラックのデータ構造を規定するデータであり、全てのビットが０の時、図３（ａ）の３０１に示すようにＩＴＩの後にエリア１、２、３と三つのエリアが存在する。
【００２９】
更に各エリアにはそれぞれのエリアのデータ構造を決めるＡＰ１、ＡＰ２、ＡＰ３というやはり３ビットのデータが存在し、それぞれのエリアのデータ構造を設定する。ＡＰ１＝ＡＰ２＝  ＡＰ３＝０の時、デジタルビデオデータの記録トラックであることを示し、図３（ｂ）の３０２に示すように三つのエリアはオーディオエリア、ビデオエリア、サブコードエリアとなる。ＳＤフォーマットでは、オーディオデータはオーディオエリアに、圧縮ビデオデータにはビデオエリアに、付加情報はサブコードに夫々格納される。一方ＨＤフォーマット時には、ビデオエリアにＭＰＥＧ方式で符号化された画像データが格納される。
【００３０】
次にビデオエリアのデータ構造について説明する。
【００３１】
図４はＳＤフォーマットによるビデオデータエリアのデータ構造を示す図である。４０１は１トラック分のデータ構造を示しており、ビデオデータにシンク、ＩＤ、インナーパリティの各データを付加して一つのシンクブロックを構成している。一つのシンクブロックは所定バイト数から成り、１トラック分のデータは所定数のシンクブロックから構成される。
【００３２】
各シンクブロックのデータは、１トラック内でのシンクブロックの位置によって異なり、ＶＡＵＸデータ（Ｖｉｄｅｏ  Ａｕｘｉｌｉａｒｙ  Ｄａｔａ）、圧縮ビデオデータ、外符号パリティがある。ＶＡＵＸデータはビデオエリアの補助データである。４０２はパックであり、ＶＡＵＸなどのシステムデータの最小データ群である。パックは５バイト固定長であり、パックヘッダ１バイトと、パックヘッダによって規定されるパックデータ４バイトで構成される。
【００３３】
図５はパックの一例である。ＰＣ０がヘッダであり、ここでは１６進数で６０である。ＰＣ１からＰＣ４の４バイトはパックデータであり、夫々区切られたビットで意味をなしている。ここでは本形態に関わる部分のみ説明する。ＰＣ３に配置されている５０／６０は１ビットであり、０のとき５０フィールドシステム、１のとき６０フィールドシステムを表す。同じくＰＣ３に配置されているＳＴＹＰＥは５ビットであり、ビデオ信号のタイプを意味する。
【００３４】
５０／６０＝０で、ＳＴＹＰＥ＝０００００のときはＳＤ５２５であり、ＳＴＹＰＥ＝０００１０のときはＨＤ１１２５である。
【００３５】
一方、５０／６０＝１で、ＳＴＹＰＥ＝０００００はＳＤ６２５であり、ＳＴＹＰＥ＝０００１０はＨＤ１２５０をそれぞれ意味する。なおＳＴＹＰＥはビット表示であり、ＳＤまたはＨＤの後の数値はライン数である。
【００３６】
制御部１０６は、再生信号中から前述のＳＴＹＰＥデータを検出することで、再生された画像データの記録モードを検出することができる。
【００３７】
次に、本形態におけるカセット挿入時の特徴的な処理について、図６のフローチャートを用いて説明する。
【００３８】
制御部１０６は、カムコーダ１００に対してテープＴを内蔵したカセットが挿入されたことに応じて図６のフローをスタートする。
【００３９】
カセットが挿入されると、制御部１０６はまず、現在のテープの位置が先頭部分であるか否か判定する（ステップＳ６０１）。その結果、テープの先頭であった場合には、前述のＳＤモードとＨＤモードのうち、ユーザが設定したモードに記録モードを設定する（ステップＳ６０５）。
【００４０】
一方、テープの先頭部分でない場合、テープ搬送部１０９を制御して現在のテープ位置より所定量（数フレーム分）テープＴを巻き戻して再生し、カセット挿入時のテープ位置の直前の位置にデータが記録されているか否かを判別する（ステップＳ６０２）。データが記録されていない場合にはそのままステップＳ６０５に進む。また、データが記録されていた場合、再生された画像データの記録モードを検出し（ステップＳ６０３）、記録モードをこの直前に記録されていたデータと同じモードに設定する（ステップＳ６０４）。
【００４１】
また、制御部１０６は、キャラクタ生成部１０８と表示制御部１０４を制御して、表示パネルに対してカセットの挿入状態、及び現在設定されている記録モードを示す情報を表示する。
【００４２】
図７に本形態において表示パネルに表示する情報の様子を示す。
【００４３】
図７（ａ）はカセットが挿入されていない状態での表示パネルの様子を示している。図７（ａ）において、７０１は現在設定している記録モードを示しており、ここでは、ＳＤモードが設定されていることを示している。また、７０２はカセットを示すアイコンが点滅表示されており、カセットが挿入されていないことを示している。
【００４４】
一方、図７（ｂ）は図７（ａ）の状態からカセットが挿入された場合の表示パネルの様子を示している。
【００４５】
図７（ｂ）において、挿入されたカセットにおける現在のテープ位置の直前に記録されているデータの記録モードを検出した結果、ＨＤモードであった場合、制御部１０６は前述の様に自動的に記録モードをＨＤモードに設定するため、７０３に示す様に、記録モードがＨＤモードに設定されたことが表示される。また、７０４のカセットを示すアイコンは点滅表示から通常の表示に変更している。
【００４６】
そして、この様に記録モードを自動的に設定した後、ユーザからの記録開始の指示があると、制御部１０６は設定された記録モードにて画像信号を記録するよう装置の各部を制御する。
【００４７】
この様に、本形態によれば、カセットを新たに挿入して記録を開始する際、現在のテープ位置の直前に記録されているデータの記録モードを検出し、この検出した記録モード同じ記録モードを自動的に設定するので、一つのカセットに記録する画像データの記録モードを容易に統一することが可能となる。
【００４８】
そのため、一つのカセットに異なるモードで記録された画像信号が混在することが無くなり、ＨＤモードの画像信号を扱うことができないカムコーダに対して、この様にＳＤモードとＨＤモードが混在したカセットを挿入し、ＨＤモードでの記録データのみを誤って消去してしまう虞がない。
【００４９】
［第２の実施形態］
次に、第２の実施形態について説明する。
【００５０】
なお、本形態においても、図１に示すカムコーダ１００に対して本発明を適用した場合について説明し、基本的な記録再生動作は第１の実施形態と同様である。
【００５１】
第１の実施形態では、カセット挿入時に、現在のテープ位置の直前に記録されている画像データの記録モードを検出し、この検出した記録モードと同じモードにカムコーダの記録モードを自動的に設定していた。
【００５２】
本形態では、記録モードを自動的に設定するのではなく、ユーザが設定した記録モードと検出した記録モードとが異なっている場合に、その旨を表示パネル１０５に表示することで、テープに既に記録されている画像データと異なる記録モードが現在設定されている旨をユーザに認識させる様に構成した。
【００５３】
図８は本形態において、カセット挿入に伴う制御部１０６の処理を示すフローチャートである。
【００５４】
カセットが挿入されると、制御部１０６はまず、現在のテープの位置が先頭部分であるか否か判定する（ステップＳ８０１）。その結果、テープの先頭であった場合には、前述のＳＤモードとＨＤモードのうち、ユーザが設定したモードに記録モードを設定する（ステップＳ８０８）。
【００５５】
一方、テープの先頭部分でない場合、テープ搬送部１０９を制御して現在のテープ位置より所定量（数フレーム分）テープＴを巻き戻して再生し、カセット挿入時のテープ位置の直前の位置にデータが記録されているか否かを判別する（ステップＳ８０２）。データが記録されていない場合にはそのままステップＳ８０８に進む。また、データが記録されていた場合、再生された画像データの記録モードを検出し（ステップＳ８０３）、現在ユーザにより設定されている記録モードを比較する（ステップＳ８０４）。
【００５６】
この結果、検出した記録モードが設定されている記録モードと同じ場合、ステップＳ８０８に進む。また、検出した記録モードが設定されている記録モードと異なっている場合、表示制御部１０４を制御して、テープＴに記録されている画像データの記録モードと設定されている記録モードとが異なっている旨、及びモード切り替えの指示を示す情報を表示する（ステップＳ８０５）。そして、ユーザによる記録モードの切り替えがあったか否かを判別し、モード切り替えの指示があった場合、記録モードをステップＳ８０３にて検出した記録モードに切り替える。一方、記録モード切り替えの指示がない場合には、そのままユーザが設定した記録モードを設定する。
【００５７】
例えば、現在設定されている記録モードがＳＤモードであり、挿入されたカセットに記録されている画像データの記録モードがＨＤモードであった場合、制御部１０６は、表示パネルに図９の如き情報を表示する。
【００５８】
そして、ユーザは操作スイッチ部１０７を操作することで、記録モードを切り替えるか否か決定する。
【００５９】
この様に、本形態によれば、カセットを新たに挿入して記録を開始する際、現在のテープ位置の直前に記録されているデータの記録モードを検出し、この検出した記録モードと現在設定されているモードとが異なる場合にその旨を示す情報を表示し、ユーザに注意を促している。
【００６０】
そのため、一つのカセットに異なるモードで記録された画像信号が混在する虞があることを容易にユーザに認識させることができ、ＨＤモードの画像信号を扱うことができないカムコーダに対して、この様にＳＤモードとＨＤモードが混在したカセットを挿入し、ＨＤモードでの記録データのみを誤って消去してしまう虞がない。
【００６１】
なお、本形態では、ＳＤモードとＨＤモードとを持つカムコーダに対して本発明を適用した場合について説明したが、これ以外にも、例えば前述のＤＶ規格にて規定されているＳＤ長時間記録モード（ＳＤＬモード）など、同一の記録媒体に対して異なる複数のモードにて情報信号を記録再生する装置に対して同様に本発明を適用でき、同様の効果をもつ。
【００６２】
また、第１の実施形態においては、ユーザが設定した記録モードがテープに記録されている画像信号の記録モードと異なっている場合には、テープに記録されている画像信号に記録モードに強制的に切り替えていたが、メニューなどでユーザが指示することにより、これを切り替えず、常にユーザが指定した記録モードに設定する構成と第１の実施形態の様に自動的に記録モードを切り替える構成とを選択できる様にすることも可能である。
【００６３】
また、第２の実施形態において、テープに記録されている画像データの記録モードと現在設定されている記録モードとが異なる場合、図９の如く警告情報を表示すると共にモード切り替えの有無を促す情報も表示したが、例えば警告情報のみを所定期間だけ表示し、モードの切り替えを行うか否かはユーザに任せる構成としてもよい。
【００６４】
【発明の効果】
本発明によれば、一つの記録媒体に情報信号が異なる記録モードで混在して記録されることを防止することができる。
【図面の簡単な説明】
【図１】本発明を適用したカムコーダの構成を示す図である。
【図２】テープ上に形成されるトラックの様子を示す図である。
【図３】各トラックの構成を示す図である。
【図４】ＳＤフォーマットによるビデオデータの構成を示す図である。
【図５】ビデオデータと共に記録されるパックデータの構成を示す図である。
【図６】本発明の実施形態におけるモード検出処理を示すフローチャートである。
【図７】表示パネルに表示される情報を示す図である。
【図８】本発明の実施形態におけるモード検出処理を示すフローチャートである。
【図９】表示パネルに表示される警告情報を示す図である。
【図１】
2004236109.tif 000003
【図２】
2004236109.tif 000004
【図３】
2004236109.tif 000005
【図４】
2004236109.tif 000006
【図５】
2004236109.tif 000007
【図６】
2004236109.tif 000008
【図７】
2004236109.tif 000009
【図８】
2004236109.tif 000010
【図９】
2004236109.tif 000011